(57)【特許請求の範囲】
【請求項１】
屋根防水下地面の上に、複数の屋根材固定具が排水が可能なように流れ方向に向けて取り付けられ、この屋根材固定具に複数の屋根材が互いに重なることなく葺かれていることを特徴とする屋根構造。
【請求項２】
屋根材が保水性を有するものである請求項１記載の屋根構造。
【請求項３】
屋根材と屋根材固定具とが嵌合により固定されるものである請求項１又は２記載の屋根構造。
【発明の詳細な説明】
【０００１】
【発明の属する技術分野】
本発明は、建物の屋根構造に関する。
【０００２】
【従来の技術】
従来、屋根瓦材が葺かれた屋根構造は、完全防水ではない屋根下地面の上に、屋根瓦材の表面で雨水を排水できるように、隣接する屋根瓦材相互に重ね代をとって軒先から棟へと複数の屋根瓦材を葺いて施工していた。
【０００３】
一方、新しい工法として、特開平１０−１９６０６１号公報には、完全防水の屋根下地面の上に、保水性を有する屋根材で、この屋根材を相互に重ねずに葺いた屋根構造が提案されている。
【０００４】
【発明が解決しようとする課題】
しかしながら、上記従来の屋根瓦材による屋根構造は、屋根瓦材を重ねて表面で排水するため、その葺き方向が、軒先から棟へと限定される。しかも、屋根瓦材を交換しようとすると、屋根瓦材が互いに重なっているので、該当する屋根瓦材の上方の屋根瓦材も取り外さなければならず、交換が容易でない問題があった。
【０００５】
特開平１０−１９６０６１号公報に提案されている屋根構造は、屋根材を重ねずに葺いているので、屋根材の交換は容易である。しかし、横引きの受材の上に、屋根材を葺いているので、排水をするため、上記横引きの受け材の下に排水のための縦溝を並設したキーストンプレートを下地防水材として設置していた。このため、下地防水材が高価になってしまう問題があった。
【０００６】
本発明は、上記従来技術の問題を解消し、屋根材の交換が容易で、下地防水材も簡単なものにできる屋根構造を提供することを目的とする。
【０００７】
【課題を解決するための手段】
請求項１記載の発明は、屋根防水下地面の上に、複数の屋根材固定具が排水が可能なように流れ方向に向けて取り付けられ、この屋根材固定具に複数の屋根材が互いに重なることなく葺かれていることを特徴とする屋根構造である。
【０００８】
請求項２記載の発明は、屋根材が保水性を有するものである請求項１記載の屋根構造である。
【０００９】
請求項３記載の発明は、屋根材と屋根材固定具とが嵌合により固定されるものである請求項１又は２記載の屋根構造である。
【００１０】
本発明において屋根材固定具とは、屋根材を屋根下地面に固定するものであり、釘、鋲、ビス、ボルトナットなどの単体、桟などの長尺体と釘、ビス、ボルトナットなどとを併用するもの、ばね、凹凸などにより屋根材と相互に嵌合するものなどがある。
【００１１】
本発明の請求項２において屋根材が保水性を有するものとは、屋根材がその表面で雨水などの水分を吸収してそのまま水分を内部に保持する状態を維持できるもののことである。例えば、多数の細孔を有する瓦、多孔質セラミック、多孔質タイル、多孔質煉瓦、多孔質ガラス、気泡コンクリート、ＡＬＣなどの連続気泡を有するもの、或いは合成樹脂の多孔質体、繊維の集積体などが用いられる。この屋根材の空隙率が、４０〜７０％の範囲にあると保水が十分にできて好ましい。
【００１２】
【作用】
請求項１記載の屋根構造は、屋根防水下地面の上に、複数の屋根材固定具が排水が可能なように流れ方向に向けて取り付けられ、この屋根材固定具に複数の屋根材が互いに重なることなく葺かれているから、屋根固定具が排水の邪魔にならずにスムーズに排水でき、しかも、屋根材の交換も容易になる。
【００１３】
請求項２記載の屋根構造は、屋根材が保水性を有するものであるから、屋根材が保水するとその熱容量が増大し、屋根の保温、断熱性などが向上するとともに、この保水水分が蒸発するときに気化熱を奪うので、屋根の過熱を防止することができる。
【００１４】
請求項３記載の屋根構造は、屋根材と屋根材固定具とが嵌合により固定されるものであるから、屋根材を嵌合するだけで、屋根葺ができ、施工が容易になり、また、屋根材の交換も容易になる。
【００１５】
【発明の実施の形態】
以下、本発明の実施の形態について図面を参照しながら詳細に説明する。
図１は本発明の実施例である屋根構造を説明する斜視図、図２は上記屋根構造の横断面図、図３は本発明に使用する屋根材の裏側の斜視図、図４は本発明の屋根構造において屋根材の取り付け取り外し状態を説明する縦断面図である。
【００１６】
図１において、屋根防水下地面１の上に、複数の屋根固定具３、３…が排水可能なように流れ方向に向けて取り付けられている。この屋根固定具３、３…に複数の屋根材２、２…が互いに重なることなく、葺かれている。
【００１７】
屋根防水下地面１は、図２に示すように、野地板１１の上に、軟質塩化ビニル樹脂シート、アスファルトフェルトシート、ゴム引き布シートなどからなる防水シート１２が張られて、防水がなされ、棟から軒先に向けて雨水が流れるようになっている。
【００１８】
屋根材２は、縦１３０ｍｍ、横６０５ｍｍ、厚み５０ｍｍの多孔質セラミック板からなり、その裏面に２条の嵌合溝２１、２１が３０５ｍｍの間隔をおいて縦に設けられている。嵌合溝２１は、溝幅が１０ｍｍで、溝深さが２０ｍｍであり、溝の底は欠け防止のために半径５ｍｍの曲面になっている。屋根材２の表面には凹凸模様が付されている。
【００１９】
上記屋根材２となる多孔質セラミック板は、主材料成分が、スラグ（高炉スラグ又は溶融スラグ等）５０〜６０％、ガラスカレット（ガラス瓶等の破砕物）２５〜３５％、高炉セメント（普通セメントに高炉スラグ付加）５〜１５％からなるものを８００〜１２００度で焼結して製造した。この多孔質セラミック板はその空隙率が５０〜６０％であり、十分に水分を吸収し、保水できるものである。
【００２０】
屋根固定具３は、ステンレス鋼（ＳＵＳ３０１）の長尺板が長さ方向にＬ形に屈曲されてなり、固定板部３１と嵌合片部３２とからなっている。この屋根固定具３の固定板部３１が防水剤の塗布されたステンレス製のスクリュウ釘３３、３３…により、屋根防水下地面１に固定されている。屋根固定具３、３…は流れ方向と平行に３０５ｍｍ間隔で設けられている。嵌合片部３２はその上部がフック状に屈曲され、その屈曲部の外径が１２ｍｍになされている。嵌合片部３２の屈曲部は、上記屋根材２の嵌合溝幅より大きくなっているが、その屈曲部がばね弾性を有しており、屋根材２の嵌合溝２１に嵌合し係止するようになっている。
【００２１】
屋根材２、２…は、図１に示すように、屋根防水下地面１上の屋根固定具３、３…に上方の棟の方から、下方の軒先に向けて千鳥状に且つ一文字葺きされている。隣接する屋根材２、２間の目地幅は５ｍｍになっており、屋根葺の施工性、屋根材２の交換性をよくしている。また、屋根材２、２…を千鳥状に葺いているので、屋根材２の落下に対する強度が増している。
【００２２】
屋根材２が割れたり損傷した場合には、図４に示すように、その損傷した屋根材２のみを交換すればよい。この時、屋根材２は隣接する屋根材２とは目地幅５ｍｍを取っており、重ならないので、交換が容易である。また、嵌合するだけで屋根材２の取り付けができるので施工が簡単である。
【００２３】
このように、この屋根構造は、屋根防水下地面１の上に、複数の屋根材固定具３、３…が排水が可能なように流れ方向に向けて取り付けられ、この屋根材固定具３、３…に複数の屋根材２、２…が互いに重なることなく葺かれているから、屋根固定具３、３…が排水の邪魔にならずにスムーズに雨水を排水でき、しかも、屋根材２の交換も容易になる。
【００２４】
この屋根構造は、屋根材２が保水性を有するものであるから、屋根材２が雨水などを吸収して保水するとその熱容量が増大し、屋根の保温、断熱性などが向上するとともに、夏期において屋根が加熱されると、この保水水分が蒸発するときに気化熱を奪うので、屋根の過熱を防止することができる。したがって、小屋裏も過熱されることがない。
【００２５】
この屋根構造は、屋根材２と屋根材固定具３とが嵌合により固定されるものであるから、屋根材２を嵌合するだけで、屋根葺ができ、施工が容易になり、また、屋根材２の交換も容易になる。
【００２６】
以上、本発明の実施例を説明したが、本発明は上記実施例に限定されるものではなく、本発明の要旨を逸脱しない範囲の設計変更等があっても本発明に含まれる。例えば、屋根材は軒先側から棟側に向けて葺いてもよいのはもちろんである。屋根防水下地面は、耐火性のある金属板やステンレス板であってもよい。また、屋根材間の目地をステンレス材などで覆へば防火性能を高めることができる。更に、屋根材の保水性を利用して芝生などの植物を屋根上で育成してもよい。
【００２７】
【発明の効果】
請求項１記載の屋根構造は、屋根防水下地面の上に、流れ方向に向けて取り付けられた屋根材固定具に、複数の屋根材が互いに重なることなく葺かれているから、屋根固定具が排水の邪魔にならずにスムーズに排水でき、下地面の防水も簡単になり、しかも、屋根材の交換も容易にできる。
【００２８】
請求項２記載の屋根構造は、屋根材が保水性を有するものであるから、保水することにより屋根材の熱容量が増大でき、屋根の保温、断熱性などが向上するとともに、この保水水分が蒸発するときに気化熱を奪い、屋根の過熱を防止することができる。
【００２９】
請求項３記載の屋根構造は、屋根材と屋根材固定具とが嵌合により固定されるものであるから、屋根材を嵌合するだけで、屋根葺ができ、施工が容易になり、また、屋根材の交換も容易にできる。
【図面の簡単な説明】
【図１】本発明の実施例である屋根構造を説明する斜視図である。
【図２】上記屋根構造の横断面図である。
【図３】本発明に使用する屋根材の裏側の斜視図である。
【図４】本発明の屋根構造において屋根材の取り付け取り外し状態を説明する縦断面図である。
【符号の説明】
１        屋根下地面
１２        防水シート
２        屋根材
２１        嵌合溝
３        屋根固定具
３１        固定板部
３２        嵌合片部
【図１】
0003634175.tif 000002
【図２】
0003634175.tif 000003
【図３】
0003634175.tif 000004
【図４】
0003634175.tif 000005